(57)【特許請求の範囲】
【請求項１】
チェックシートからマーカーを読み取るマーカー読取部と、
前記マーカー読取部が複数のチェックシートの各々から複数のマーカーの各々を読み取った際に、グループ分けする位置を指定することなく前記複数のマーカーの各々の位置に基づいて前記複数のマーカーをグループ分けするマーカーグループ化部と、
前記マーカーグループ化部によりグループ分けされたグループの各々における複数のマーカーの位置に基づいてチェックシートの位置を決定し、決定した位置にグループの各々における複数のマーカーの集計結果をプロットするマーカープロット部と、
を備えたマーカーの集計装置。
【請求項２】
前記マーカープロット部は、前記集計結果としてグループの各々におけるマーカーの数をプロットする請求項１に記載のマーカーの集計装置。
【請求項３】
前記マーカープロット部により決定された位置にグループの各々における複数のマーカーの各々が入力されるまでの時間に関するヒストグラムをプロットする作業時間プロット部、
を備えた請求項１または請求項２に記載のマーカーの集計装置。
【請求項４】
前記マーカー読取部は、エレベーターの保守作業時の際にエレベーターの属性の情報を読み取り、
前記マーカーグループ化部は、エレベーターの属性毎に前記複数のマーカーをグループ分けし、
前記マーカープロット部は、前記エレベーターの属性毎に前記マーカーグループ化部によりグループ分けされたグループの各々における複数のマーカーの位置に基づいてチェックシートの位置を決定し、前記エレベーターの属性毎に当該位置にグループの各々における複数のマーカーの集計結果をプロットする請求項１から請求項３のいずれか一項に記載のマーカーの集計装置。
【請求項５】
チェックシートへのマーカーの入力を受け付ける複数の端末と、
グループ分けする位置を指定することなく前記複数の端末の各々に入力された複数のマーカーの各々の位置に基づいて前記複数のマーカーをグループ分けし、グループ分けされたグループの各々における複数のマーカーの位置に基づいてチェックシートの位置を決定し、決定した位置にグループの各々における複数のマーカーの集計結果をプロットする集計装置と、
を備えたマーカーの集計システム。
【請求項６】
前記集計装置は、前記集計結果としてグループの各々におけるマーカーの数をプロットする請求項５に記載のマーカーの集計システム。
【請求項７】
前記集計装置は、決定した位置にグループの各々における複数のマーカーの各々が入力されるまでの時間に関するヒストグラムをプロットする請求項５または請求項６に記載のマーカーの集計システム。
【請求項８】
前記複数の端末の各々は、エレベーターの保守作業時の際にエレベーターの属性の情報の入力を受け付け、
前記集計装置は、エレベーターの属性毎に前記複数のマーカーをグループ分けし、前記エレベーターの属性毎にグループ分けされたグループの各々における複数のマーカーの位置に基づいてチェックシートの位置を決定し、前記エレベーターの属性毎に決定した位置にグループの各々における複数のマーカーの集計結果をプロットする請求項５から請求項７のいずれか一項に記載のマーカーの集計システム。
【発明の詳細な説明】
【技術分野】
【０００１】
この発明は、マーカーの集計装置および集計システムに関する。
【背景技術】
【０００２】
特許文献１は、マーカーの集計装置を開示する。当該集計装置は、未記入シートと記入済シートとのデータの差分に基づいてマーカーを検出する。当該集計装置は、マーカーの検出結果に基づいてマーカーを集計する。
【先行技術文献】
【特許文献】
【０００３】
【特許文献１】特開２０１３−４５３０９号公報
【発明の概要】
【発明が解決しようとする課題】
【０００４】
しかしながら、特許文献１に記載の集計装置をチェックシートに適用した場合、チェックシートの内容とマーカーの集計結果との関係を明確に得ることができない。このため、チェックシートにおけるチェックの傾向を容易に把握することができない。
【０００５】
この発明は、上述の課題を解決するためになされた。この発明の目的は、チェックシートにおけるチェックの傾向を容易に把握することができるマーカーの集計装置および集計システムを提供することである。
【課題を解決するための手段】
【０００６】
この発明に係るマーカーの集計装置は、チェックシートからマーカーを読み取るマーカー読取部と、前記マーカー読取部が複数のチェックシートの各々から複数のマーカーの各々を読み取った際に、グループ分けする位置を指定することなく前記複数のマーカーの各々の位置に基づいて前記複数のマーカーをグループ分けするマーカーグループ化部と、前記マーカーグループ化部によりグループ分けされたグループの各々における複数のマーカーの位置に基づいてチェックシートの位置を決定し、当該位置にグループの各々における複数のマーカーの集計結果をプロットするマーカープロット部と、を備えた。
【０００７】
この発明に係るマーカーの集計システムは、チェックシートへのマーカーの入力を受け付ける複数の端末と、グループ分けする位置を指定することなく前記複数の端末の各々に入力された複数のマーカーの各々の位置に基づいて前記複数のマーカーをグループ分けし、グループ分けされたグループの各々における複数のマーカーの位置に基づいてチェックシートの位置を決定し、決定した位置にグループの各々における複数のマーカーの集計結果をプロットする集計装置と、を備えた。
【発明の効果】
【０００８】
この発明によれば、グループの各々における複数のマーカーの集計結果は、グループの各々における複数のマーカーの位置に基づいて決定された位置にプロットされる。このため、チェックシートにおけるチェックの傾向を容易に把握することができる。
【図面の簡単な説明】
【０００９】
【図１】この発明の実施の形態１におけるマーカーの集計システムの活用例を示す図である。
【図２】この発明の実施の形態１におけるマーカーの集計システムを利用した作業結果と作業時間の確認方法を説明するための図である。
【図３】この発明の実施の形態１におけるマーカーの集計システムの構成図である。
【図４】この発明の実施の形態１におけるマーカーの集計システムの保守用端末の画面を説明するための図である。
【図５】この発明の実施の形態１における集計システムにより保存されたマーカー属性ファイルを説明するための図である。
【図６】この発明の実施の形態１における集計システムによる複数のマーカーのグループ化を説明するための図である。
【図７】この発明の実施の形態１における集計システムの保守用端末のマーカー編集部の処理を説明するためのフローチャートである。
【図８】この発明の実施の形態１における集計システムの集計装置のマーカーグループ化部の動作を説明するためのフローチャートである。
【図９】この発明の実施の形態１における集計システムの集計装置のマーカープロット部と作業時間プロット部との動作を説明するためのフローチャートである。
【図１０】この発明の実施の形態１における集計システムのチェックシートの変形例を説明するための図である。
【図１１】この発明の実施の形態１における集計システムのチェックシートの変形例を説明するための図である。
【図１２】この発明の実施の形態１における集計システムの集計装置のハードウェア構成図である。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１におけるマーカーの集計システムの活用例を示す図である。
【００１２】
図１において、エレベーターの昇降路１は、図示しない建築物の各階を貫く。エレベーターのかご２は、昇降路１の内部に設けられる。例えば、制御装置３は、昇降路１の内部に設けられる。例えば、監視装置４は、昇降路１の内部に設けられる。
【００１３】
マーカーの集計システム５は、保守用端末６と集計装置７とを備える。
【００１４】
例えば、保守用端末６は、エレベーターの保守員に携帯される。例えば、集計装置７は、エレベーターの管理会社に設けられる。
【００１５】
エレベーターの保守作業時、保守員は、保守用端末６を利用して監視装置４の設定を行う。監視装置４は、当該設定に基づいて保守作業に応じた指令を制御装置３に出力する。制御装置３は、監視装置４からの指令に基づいてかご２等の動作を制御する。
【００１６】
この際、保守用端末６は、制御装置３からエレベーターの機種名等の属性の情報の入力を受け付ける。
【００１７】
保守員は、チェックシートファイルを利用して保守用端末６の画面に作業手順形式のチェックシートを表示させる。この際のチェックシートは、非定型ドキュメントである。例えば、チェックシートは、ＰＤＦ（Ｐｏｒｔａｂｌｅ  Ｄｏｃｕｍｅｎｔ  Ｆｏｒｍａｔ）形式で記録したドキュメントである。保守員は、チェックシートで作業手順を確認しながら、保守用端末６のタッチパネルを利用してチェックシートにマーカーを入力する。
【００１８】
保守用端末６は、マーカーの種別と位置とマーカーが入力された時刻とエレベーターの属性の情報をマーカー属性ファイルに保存する。保守用端末６は、マーカー属性ファイルを出力する。
【００１９】
集計装置７は、複数の保守用端末６からマーカー属性ファイルの入力を受け付ける。集計装置７は、マーカー属性ファイルの各々におけるチェックシートのページの各々に基づいてチェックシートファイルに対してチェックシートにおけるグループの各々の中心に対応した位置に集計したマーカーの種別と数とをプロットする。集計装置７は、チェックシートファイルに対してチェックシートにおけるグループの各々の中心に対応した位置に作業時間のヒストグラムをプロットする。集計装置７は、マーカーの種別と数とのプロットと作業時間のヒストグラムのプロットとを集計シートファイルに保存する。
【００２０】
例えば、保守員は、保守用端末６を利用してマーカーが入力されたチェックシートを参照する。例えば、保守員は、保守用端末６を利用してマーカーが入力されたチェックシートをメモとして活用する。
【００２１】
管理者は、集計シートファイルに基づいた表示を目視で確認することにより作業結果を把握する。管理者は、集計シートファイルに基づいた表示を目視で確認することにより作業時間を把握する。
【００２２】
次に、図２を用いて、作業結果と作業時間との確認方法を説明する。
図２はこの発明の実施の形態１におけるマーカーの集計システムを利用した作業結果と作業時間の確認方法を説明するための図である。
【００２３】
図２に示すように、集計装置７は、複数のチェックシートから保守員に入力されたマーカーを集計する。複数のチェックシートが同じ内容の場合、マーカーは、同じチェックボックスの周辺に集中的に入力される。このため、集計装置７は、予め設定された位置を指定することなく複数のマーカーの各々の位置に基づいて複数のマーカーをグループ化した上でグループの各々における複数のマーカーを集計する。
【００２４】
集計装置７は、当該集計の結果を集計シートファイルに保存する。具体的には、集計装置７は、マーカーの種別と数とのプロットと作業時間のヒストグラムのプロットとを集計シートファイルに保存する。
【００２５】
集計シートファイルに基づいた表示において、マーカーの種別と数とのプロットと作業時間のヒストグラムのプロットとは、対応するチェックボックスの周辺に表示される。このため、管理者は、作業結果と作業時間とを目視で確認し得る。
【００２６】
次に、図３を用いて、集計システム５を説明する。
図３はこの発明の実施の形態１におけるマーカーの集計システムの構成図である。
【００２７】
保守用端末６は、マーカー編集部６ａを備える。
【００２８】
集計装置７は、マーカー読取部７ａとマーカーグループ化部７ｂとマーカープロット部７ｃと作業時間プロット部７ｄと備える。
【００２９】
エレベーターの保守作業時、マーカー編集部６ａは、制御装置３の通信部３ａからエレベーターの機種名等の属性の情報の入力を受け付ける。マーカー編集部６ａは、保守員の操作に基づいてチェックシートのページを表示させる。マーカー編集部６ａは、保守員の操作に基づいてチェックシートのマーカーの入力を受け付ける。マーカー編集部６ａは、マーカーの種別と位置とマーカーが入力された時刻とをマーカー属性ファイルに保存する。マーカー編集部６ａは、マーカー属性ファイルを出力する。
【００３０】
集計装置７において、マーカー読取部７ａは、複数の保守用端末６のマーカー編集部６ａの各々からマーカー属性ファイルの入力を受け付ける。マーカーグループ化部７ｂは、マーカー属性ファイルの各々におけるチェックシートのページの各々から特定の種別のマーカーを抽出する。マーカーグループ化部７ｂは、抽出された複数のマークの位置に基づいて複数のマーカーをグループ分けする。マーカーグループ化部７ｂは、マーカー属性ファイルにグループＩＤを付加したグループ化情報付マーカー属性ファイルを出力する。
【００３１】
マーカープロット部７ｃは、マーカーグループ化部７ｂからグループ化情報付マーカー属性ファイルの各々の入力を受け付ける。マーカーグループ化部７ｂは、グループ化情報付マーカー属性ファイルの各々に基づいてグループの各々における複数のマーカーの種別と数とを集計する。マーカープロット部７ｃは、チェックシートファイルに対してチェックシートにおけるグループの各々の中心に対応した位置に集計したマーカーの種別と数とをプロットする。
【００３２】
作業時間プロット部７ｄは、グループ化情報付マーカー属性ファイルの各々に基づいてグループの各々におけるマーカーに対して最初のマーカーの入力からの経過時間を集計する。作業時間プロット部７ｄは、経過時間の集計結果に基づいてヒストグラムを作成する。作業時間プロット部７ｄは、チェックシートファイルに対してチェックシートにおけるグループの各々の中心に対応した位置に当該ヒストグラムをプロットする。
【００３３】
マーカープロット部７ｃによるプロットと作業時間プロット部７ｄによるプロットとは、集計シートファイルに保存される。
【００３４】
次に、図４を用いて、保守用端末６の画面を説明する。
図４はこの発明の実施の形態１におけるマーカーの集計システムの保守用端末の画面を説明するための図である。
【００３５】
保守用端末６の画面は、第１領域８ａと第２領域８ｂと第３領域８ｃと第４領域８ｄとを備える。
【００３６】
第１領域８ａにおいては、チェックシートのページが表示される。第２領域８ｂにおいては、スクロールバーが表示される。第３領域８ｃにおいては、拡大ボタンと縮小ボタンと表示倍率とが表示される。第４領域８ｄにおいては、マーカー処理開始ボタンとマーカー選択ボックスとマーカー処理終了ボタンとが表示される。
【００３７】
スクロールバーに対して予め設定された操作がなされた際、チェックシートのページの表示がスクロールされる。
【００３８】
拡大ボタンに対して予め設定された操作がなされた際、チェックシートのページの表示が拡大される。縮小ボタンに対して予め設定された操作がなされた際、チェックシートのページの表示が縮小される。常時倍率に対して予め設定された操作がなされた際、チェックシートのページの倍率が変更される。
【００３９】
マーカー処理開始ボタンに対して予め設定された操作がなされた際、マーカー編集モードが開始される。マーカー選択ボックスに対して予め設定された際、マーカーが選択される。例えば、「レチェック」がマーカーとして選択される。例えば、「丸印」がマーカーとして選択される。
【００４０】
この際、予め設定された操作がなされると、チェックシートのページにおいてマーカーの位置が指定される。例えば、マウスのボタンが押されると、マウスカーソルの位置がマーカーの位置として指定される。例えば、タッチパネルがタップされると、タップされた位置がマーカーの位置として指定される。例えば、キーボードのリターンキーが押されると、カーソルの位置がマーカーの位置として指定される。この際、チェックシートのページにおいてマーカーが描画される。描画されたマーカーの種別は、一時的に記憶される。
【００４１】
マーカー処理終了ボタンに対して予め設定された際、マーカー編集モードが終了する。この際、一時的に記憶されたマーカーの種別がマーカー属性ファイルに保存される。
【００４２】
次に、図５を用いて、マーカー属性ファイルを説明する。
図５はこの発明の実施の形態１における集計システムにより保存されたマーカー属性ファイルを説明するための図である。
【００４３】
図５の（１）は、初期におけるチェックシートの表示である。図５の（２）は、マーカー編集モード時におけるチェックシートの表示である。図５の（３）は、マーカー属性ファイルの内容である。
【００４４】
図５の（１）において、チェックシートは、フローチャートの形式で表示される。図５の（２）において、保守員は、チェックシートの内容にしたがってマーカーを入力する。保守員は、フローチャートにより次の手順を把握し得る。
【００４５】
図５の（３）において、マーカー属性ファイルは、マーカー属性部とページ属性部とを備える。
【００４６】
マーカー属性部は、マーカーの種別とマーカーのサイズとマーカーの位置とマーカーが入力された日時とを含む。ページ属性部は、マーカー編集モードが開始された日時とエレベーターの機種名とを含む。
【００４７】
次に、図６を用いて、複数のマーカーのグループ化を説明する。
図６はこの発明の実施の形態１における集計システムによる複数のマーカーのグループ化を説明するための図である。
【００４８】
図６の上段のチェックシートにおいて、マーカーグループ化部７ｂは、チェックシートを規定ドット数で区切った配列を作成する。例えば、マーカーグループ化部７ｂは、チェックシートを５×５のドットで区切った配列を作成する。マーカーグループ化部７ｂは、隣接したメッシュにおいてマーカーが存在するメッシュを結合することによりグループを作成する。その結果、複数のマーカーは、グループ化される。
【００４９】
図６の下段のチェックシートにおいて、５×５のドットで区切った配列が作成される。この際、メッシュＡには、３つのマーカーが存在する。メッシュＢには、２つのマーカーが存在する。メッシュＣには、１つのマーカーが存在する。
【００５０】
メッシュＡとメッシュＢとは隣接する。このため、メッシュＡとメッシュＢとに存在するマーカーは同一のグループとなる。これに対し、メッシュＣは、メッシュＡとメッシュＢとのうちのどちらのメッシュにも隣接しない。このため、メッシュＣに存在するマーカーは、メッシュＡとメッシュＢとに存在するマーカーとは異なるグループとなる。
【００５１】
この際、マーカーグループ化部７ｂは、メッシュＡとメッシュＢとに存在するマーカーのマーカー属性ファイルに同一のグループＩＤを付加する。マーカーグループ化部７ｂは、メッシュＣに存在するマーカーのマーカー属性ファイルにメッシュＡとメッシュＢとに存在するマーカーのマーカー属性ファイルに付加されたグループＩＤとは異なるグループＩＤを付加する。
【００５２】
次に、図７を用いて、保守用端末６のマーカー編集部６ａの動作を説明する。
図７はこの発明の実施の形態１における集計システムの保守用端末のマーカー編集部の処理を説明するためのフローチャートである。
【００５３】
図７に示すように、ステップＳ１では、マーカー編集部６ａは、チェックシートのページを表示させる。その後、ステップＳ２に進む。ステップＳ２では、マーカー編集部６ａは、マーカー処理開始ボタンが押下されたことを認識する。その後、ステップＳ３に進む。ステップＳ３では、マーカー編集部６ａは、現時点の時刻を取得する。その後、ステップＳ４に進む。
【００５４】
ステップＳ４では、マーカー編集部６ａは、エレベーターの属性の情報を取得する。その後、ステップＳ５に進む。ステップＳ５では、マーカー編集部６ａは、マーカーの選択を認識する。その後、ステップＳ６に進む。ステップＳ６では、マーカー編集部６ａは、マーカーの位置の指定を認識する。その後、ステップＳ７に進む。
【００５５】
ステップＳ７では、マーカー編集部６ａは、指定された位置にマーカーを描画させる。その後、ステップＳ８に進む。ステップＳ８では、マーカー編集部６ａは、マーカーの種別を一時的に記憶させる。その後、ステップＳ９に進む。ステップＳ９では、マーカー編集部６ａは、マーカー処理終了ボタンが押下されたか否かを判定する。
【００５６】
ステップＳ９でマーカー処理終了ボタンが押下されていない場合は、ステップＳ５に戻る。ステップＳ９でマーカー処理終了ボタンが押下された場合は、ステップＳ１０に進む。
【００５７】
ステップＳ１０では、マーカー編集部６ａは、マーカー属性ファイルを保存する。その後、動作が終了する。
【００５８】
次に、図８を用いて、集計装置７のマーカーグループ化部７ｂの動作を説明する。
図８はこの発明の実施の形態１における集計システムの集計装置のマーカーグループ化部の動作を説明するためのフローチャートである。
【００５９】
図８に示すように、ステップＳ１１では、マーカーグループ化部７ｂは、マーカー属性ファイルからマーカーの種別を読み込む。その後、ステップＳ１２に進む。ステップＳ１２では、マーカーグループ化部７ｂは、マーカーの種別が集計対象のマーカーの種別と一致するマーカー属性をマーカー一時リストに記憶させる。その後、ステップＳ１３に進む。
【００６０】
ステップＳ１３では、マーカーグループ化部７ｂは、マーカーが入力された日時とマーカー編集モードが開始された日時とから作業時間を算出する。マーカーグループ化部７ｂは、当該作業時間をマーカー属性に追記する。その後、ステップＳ１４に進む。ステップＳ１４では、マーカーグループ化部７ｂは、全てのマーカー属性ファイルの処理が完了したか否かを判定する。
【００６１】
ステップＳ１４で全てのマーカー属性ファイルの処理が完了していない場合は、ステップＳ１１に戻る。ステップＳ１４で全てのマーカー属性ファイルの処理が完了した場合は、ステップＳ１５に進む。
【００６２】
ステップＳ１５では、マーカーグループ化部７ｂは、チェックシートを規定ドット数に区切った配列を作成する。その後、ステップＳ１６に進む。ステップＳ１６では、マーカーグループ化部７ｂは、マーカー一時リストからマーカー属性を読み込む。その後、ステップＳ１７に進む。
【００６３】
ステップＳ１７では、マーカーグループ化部７ｂは、マーカーの位置に対応する配列に対してマーカー属性へのリンクを追加する。その後、ステップＳ１８に進む。ステップＳ１８では、マーカーグループ化部７ｂは、マーカーの配列の一部（ｘ、ｙ）を読み込む。その後、ステップＳ１９に進む。
【００６４】
ステップＳ１９では、マーカーグループ化部７ｂは、（ｘ±１、ｙ±１）でマーカーが存在するマーカーの配列を抽出する。マーカーグループ化部７ｂは、マーカーが存在しなくなるまで再帰的に探索する。その後、ステップＳ２０に進む。
【００６５】
ステップＳ２０では、マーカーグループ化部７ｂは、抽出したマーカーの配列にリンクされたマーカー属性の各々に同一のグループＩＤを追記する。その後、ステップＳ２１に進む。ステップＳ２１では、マーカーグループ化部７ｂは、全ての配列の処理が完了したか否かを判定する。
【００６６】
ステップＳ２１で全ての配列の処理が完了していない場合は、ステップＳ１８に戻る。ステップＳ２１で全て配列の処理が完了した場合は、ステップＳ２２に進む。
【００６７】
ステップＳ２２では、マーカーグループ化部７ｂは、グループ化したマーカーのマーカー属性ファイルにグループＩＤを追記する。その後、動作が終了する。
【００６８】
次に、図９を用いて、集計装置７のマーカープロット部７ｃと作業時間プロット部７ｄとの動作を説明する。
図９はこの発明の実施の形態１における集計システムの集計装置のマーカープロット部と作業時間プロット部との動作を説明するためのフローチャートである。
【００６９】
図９に示すように、ステップＳ３１では、マーカープロット部７ｃは、チェックシートファイルを読み込む。その後、ステップＳ３２に進む。ステップＳ３２では、マーカープロット部７ｃは、全てのグループ化情報付マーカー属性ファイルを読み込む。その後、ステップＳ３３に進む。
【００７０】
ステップＳ３３では、マーカープロット部７ｃは、同一のグループＩＤのマーカー属性を抽出する。その後、ステップＳ３４では、マーカープロット部７ｃは、同一のグループＩＤのマーカーの数をカウントする。マーカープロット部７ｃは、同一のグループＩＤのマーカーに対して中心の位置を算出する。マーカープロット部７ｃは、チェックシートファイルの該当位置にマーカーの数をプロットする。その後、ステップＳ３５に進む。
【００７１】
ステップＳ３５では、作業時間プロット部７ｄは、同一のグループＩＤのマーカーの作業時間からヒストグラムの画像を作成する。作業時間プロット部７ｄは、チェックシートファイルに当該画像をプロットする。その後、ステップＳ３６に進む。ステップＳ３６では、作業時間プロット部７ｄは、全てのグループＩＤのマーカー属性の処理が完了したか否かを判定する。
【００７２】
ステップＳ３６で全てのグループＩＤのマーカー属性の処理が完了していない場合は、ステップＳ３４に戻る。ステップＳ３６で全てのグループＩＤのマーカー属性の処理が完了した場合は、ステップＳ３７に進む。
【００７３】
ステップＳ３７では、作業時間プロット部７ｄは、チェックシート画像を集計シートファイルとして保存する。その後、動作が終了する。
【００７４】
以上で説明した実施の形態１によれば、グループの各々における複数のマーカーの集計結果は、グループの各々における複数のマーカーの位置に基づいて決定された位置にプロットされる。このため、チェックシートにおけるチェックの傾向を容易に把握することができる。
【００７５】
また、複数のマーカーの各々が入力されるまでの時間に関するヒストグラムは、グループの各々における複数のマーカーの位置に基づいて決定された位置にプロットされる。このため、チェックシートに基づいた作業時間の傾向を容易に把握することができる。
【００７６】
なお、チェックの集計結果と時間に関するヒストグラムとをエレベーターの属性毎にプロットしてもよい。この場合、エレベーターの属性毎にチェックシートにおけるチェックの傾向を容易に把握することができる。
【００７７】
また、監視装置４からエレベーターの属性の情報を取得してもよい。この場合も、エレベーターの属性毎にチェックシートにおけるチェックの傾向を容易に把握することができる。
【００７８】
また、チェックシートは、エレベーターの保守作業時以外の作業に用いるものでもよい。この場合も、チェックシートにおけるチェックの傾向を容易に把握することができる。
【００７９】
また、紙媒体に記載されたマーカーをＯＣＲで読み取って、グループの各々における複数のマーカーの位置に基づいて決定された位置にプロットしてもよい。この場合も、チェックシートにおけるチェックの傾向を容易に把握することができる。
【００８０】
次に、図１０と図１１とを用いて、チェックシートの変形例を説明する。
図１０と図１１とはこの発明の実施の形態１における集計システムのチェックシートの変形例を説明するための図である。
【００８１】
図１０に示すように、チェックシートは、「確認項目」と「確認結果」との欄を備える。「確認項目」の欄には、確認すべき項目が表示される。保守員は、「確認結果」の欄にマーカーを入力する。例えば、保守員は、「はい」の前に表示されたチェックボックスにマーカーを入力する。例えば、保守員は、「いいえ」の前に表示されたチェックボックスにマーカーを入力する
【００８２】
図１１に示すように、集計したチェックシートには、「確認項目」の各々の「確認結果」の欄において、「はい」に対応した位置に数とヒストグラムとが表示される。「いいえ」に対応した位置に数とヒストグラムとが表示される。
【００８３】
以上で説明した変形例においても、チェックシートにおけるチェックの傾向を容易に把握することができる。また、チェックシートに基づいた作業時間の傾向を容易に把握することができる。
【００８４】
次に、図１２を用いて、集計装置７の例を説明する。
図１２はこの発明の実施の形態１における集計システムの集計装置のハードウェア構成図である。
【００８５】
集計装置７の各機能は、処理回路により実現される。例えば、処理回路は、少なくとも１つのプロセッサ９ａと少なくとも１つのメモリ９ｂとを備える。例えば、処理回路は、少なくとも１つの専用のハードウェア１０を備える。
【００８６】
処理回路が少なくとも１つのプロセッサ９ａと少なくとも１つのメモリ９ｂとを備える場合、集計装置７の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ９ｂに格納される。少なくとも１つのプロセッサ９ａは、少なくとも１つのメモリ９ｂに記憶されたプログラムを読み出して実行することにより、集計装置７の各機能を実現する。少なくとも１つのプロセッサ９ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ９ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００８７】
処理回路が少なくとも１つの専用のハードウェア１０を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、集計装置７の各機能は、それぞれの処理回路で実現される。例えば、集計装置７の各機能は、まとめて処理回路で実現される。
【００８８】
集計装置７の各機能について、一部を専用のハードウェア１０で実現し、他部をソフトウェア又はファームウェアで実現してもよい。例えば、マーカー読取部７ａの機能については専用のハードウェア１０としての処理回路で実現し、マーカー読取部７ａ以外の機能については少なくとも１つのプロセッサ９ａが少なくとも１つのメモリ９ｂに格納されたプログラムを読み出して実行することによって実現してもよい。
【００８９】
このように、処理回路は、ハードウェア１０、ソフトウェア、ファームウェア、又はこれらの組み合わせによって、集計装置７の各機能を実現する。
【符号の説明】
【００９０】
１  昇降路、  ２  かご、  ３  制御装置、  ３ａ  通信部、  ４  監視装置、  ５  集計システム、  ６  保守用端末、  ６ａ  マーカー編集部、  ７  集計装置、  ７ａ  マーカー読取部、  ７ｂ  マーカーグループ化部、  ７ｃ  マーカープロット部、  ７ｄ  作業時間プロット部、  ８ａ  第１領域、  ８ｂ  第２領域、  ８ｃ  第３領域、  ８ｄ  第４領域、  ９ａ  プロセッサ、  ９ｂ  メモリ、  １０  ハードウェア
【図１】
0006455458.tif 000002
【図２】
0006455458.tif 000003
【図３】
0006455458.tif 000004
【図４】
0006455458.tif 000005
【図５】
0006455458.tif 000006
【図６】
0006455458.tif 000007
【図７】
0006455458.tif 000008
【図８】
0006455458.tif 000009
【図９】
0006455458.tif 000010
【図１０】
0006455458.tif 000011
【図１１】
0006455458.tif 000012
【図１２】
0006455458.tif 000013